(57)【特許請求の範囲】
【請求項１】
２枚重ねて巻かれたペーパーロールのペーパーを分離し、片方を巻き取るため芯棒を設けたペーパーホルダー。
【請求項２】
ペーパーを分離し巻き取るための押しつけ圧力として、ペーパーロールの自重を利用する構造もしくは、ペーパーホルダーを構成する部材の自重を利用する構造のうち、少なくともひとつを具えた請求項１のペーパーホルダー。
【請求項３】
ペーパーロールの直径変化に連動して可動する芯棒を具えた請求項１のペーパーホルダー。
【発明の詳細な説明】
【技術分野】
【０００１】
本発明は、２枚重ねのトイレットペーパー（ダブル巻きロール紙）を、１枚重ね（シングル巻）と同様に１枚づつ使用できるようにするペーパーホルダーに関するものである。
【背景技術】
【０００２】
ロール状のトイレットペーパーには、２枚重ね（ダブル巻）と１枚重ね（シングル巻）の製品が存在し、使用時に引き出すペーパー長さは、一般にシングル巻、ダブル巻に関わらず個人の習慣でほぼ決まっているため、1回あたりの紙の使用量はシングル巻の方が２〜３割程度少なく資源の節約になるとされている。
【０００３】
全国の企業 ・ 行政 ・ 消費者（民間団体）で構成される グリーン購入ネットワーク（ＧＰＮ）では、ＧＰＮ−ＧＬ３Ａ 「トイレッペーパ」購入ガドランで「シングル巻きであること」が規定され、業務用のトイレットロールでは、製造時のエネルギーと時間を必要とするシングル巻き製品が多く見られる。
【０００４】
しかしながら、トイレットペーパーをロール状に巻き取る際の製造エネルギーを比較すると、特開２０１４-１９８０９４号の代表図面である図３および、特開２０１４-１９８０９４号の図１のように２枚重ねてロール状にするダブル巻の方が１枚だけでロール状にするシングル巻よりエネルギーと製造時間が節約に優れていると推測される。たとえば、簡易的には長さ８０メートル分のトーレットペーパーをロール紙にする場合に、２枚重ね（ダブル巻）であれば４０メートル分の回転エネルギーで製品化できることになる。
そのため、資源が節約できるとされているシングル巻が全ての工程において省資源とは限らない欠点があった。
【０００５】
大量に使用されるトイレットペーパーにおいて、シングル巻はエネルギーコストと製造時間で大きな障害を抱えている。薄くて丈夫なトーレットペーパーは省資源の製品ではあるが、巻き取る時間と巻き取るコスト面で製造において不利を増大させていた。故に、シングル巻き製品の中には１枚当たりのペーパーの厚さを大きくすることによって製造時の障害を回避した製品もあるが、１ロール当たりのペーパーの長さが短くなる上にペーパーの厚さが大きくなるため、資源の節約とは言い難いシングル巻き製品も見受けられる。
【先行技術文献】
【特許文献】
【０００６】
【特許文献１】特開２０１４-１９８０９４号
【特許文献２】実登３０３７０８９号
【非特許文献】
【０００７】
【非特許文献１】グリーン購入ネットワーク（ＧＰＮ）のＧＰＮ−ＧＬ３Ａ「トイレッペーパ」購入ガイドライン。
【発明の概要】
【発明が解決しようとする課題】
【０００８】
解決しようとする問題点は、２枚重ねのダブル巻きの方がエネルギーや時間の面で効率良く製造できるにも関わらず、個人の習慣でトイレットロールの引き出すペーパー長さが決まる傾向にあるため、シングル巻よりダブル巻（２枚重ね）の方がペーパーの使用量が多くなってしまう点である。
【課題を解決するための手段】
【０００９】
本発明は、２枚重ねのダブル巻であってもトイレットペーパーを１枚づつ使用できる事であって、通常の引き出す動作のまま２枚を分離し、１枚は程なくトイレットペーパーとして拭き取りで使い、もう片方のペーパーを一旦シングル巻として巻き取る構造を特徴とする。なお、一旦巻き取られたシングル巻は、後からシングル巻きトイレットロールとして使うものである。
【発明の効果】
【００１０】
本発明のペーパーホルダーを使用することにより、２枚重ねのダブル巻であれば２倍の長さで使用が可能となり、２枚重ね（ダブル巻）のトイレットロールでも、使い過ぎを防止できる利点がある。したがって、生産時の省エネルギーと使用時の省資源の両立を図ることができる。さらに、分離した片方が巻き取られる際に使用量を目視で観測できるため、使い過ぎの習慣を改善する効果も期待できる。
【図面の簡単な説明】
【００１１】
【図１】ペーパーホルダーの実施例1を示した説明図である。図１から図５の説明図において、壁と接するホルダーの背面は、壁に取り付けるねじ穴を有するプレートなど汎用的な構造で足りるため三面図の中で背面構造部分は省略する。
【図２】ペーパーホルダーの実施例2を示した説明図である。
【図３】ペーパーホルダーの実施例3を示した説明図である。
【図４】ペーパーホルダーの実施例4を示した説明図である。
【図５】ペーパーホルダーの実施例4に類似した2つの例を示した説明図である。
【図６】一般的に「ダブル」と呼ばれるトイレットロール製品の２枚重なったペーパーを、１枚づつ分離した図である。
【発明を実施するための形態】
【００１２】
「親ロール」となるトイレットロールのダブル巻きから２枚重なったペーパーを１枚ずつ分離し、ホルダーから１枚を引き出す力で、もう１枚を「子ロール」（シングル巻）に巻き取る構造で実現した。
【００１３】
これを実現するため、本発明の構造はペーパーを通す経路の工夫に加え、べーパーロールやペーパーホルダーの自重を利用したり、ペーパーを掛ける軸を可変構造としたり、バネを使う事で子ロールとペーパーを密着させて回転摩擦を保持して子ロールを巻き取る。したがって、ロールの直径が変化しても密着と摩擦を保持し、引き出したペーパーと同じ長さで分離された片方のペーパーを子ロールの芯棒に巻き取る事ができるのである。
【００１４】
実施例に加え、ホルダーや部品の形状変更や、歯車や滑車、モータなどを追加した構造でも実現できる。
【００１５】
ぺーパーを掛ける軸が可変する例として、実登３０３７０８９号「トイレットロール紙同時引き出ホルダー」があるが、２つのペーパーロールから取り出したペーパーを重ねる目的の構造と内容であって本発明とは異なり子ロールを巻き取る構造ではなく、本発明が目的とする課題は解決できない。
【実施例】
【００１６】
図１は、本発明装置の実施例１の三面図であって、１は２枚重ねのトイレットロール（「親ロール」）で、２は分離され巻き取られた「子ロール」である。３は親ロールを支える芯棒で、４は分離された１枚を子ロールとして巻き取る芯棒である。３の芯棒は上下に可変する構造であり、３の芯棒と１の親巻き取りの重さによる圧力で、１の親ロールは４の芯棒に巻かれた２の子ロールと密着する。
先ず、２枚重なったトイレットペーパーを分離し６の１枚を４の芯棒に巻き込み子ロールの巻きはじめを準備する。５の１枚は通常通り使えるよう引き出しておく。トイレットロールを使う際に５を引き出す力が１の親ロールと１に密着した４および２の子ロールを回転させ、分離された６の１枚が４を軸にして巻かれながら２の子ロールを形成する。
３の芯棒を１の親ロールの紙管または、紙管なしタイプの穴に差し込むため、３の軸受けとなる溝の上部に開口部を設けた。なお、この開口部は、左右両方にある必要はない。３の芯棒と４の芯棒は回転する。
しかして、５は繰り返し個人習慣の長さで引き出され、１のトイレットロールが使い終わると、４の芯棒に巻き取られた２の子ロールが出来上がる。出来上がった２の子ロールは概ね５として使用した分と同じ長さがあり、これを巻き解いて使用するので、５と６を合わせ使用できる長さは約２倍に増える。なお、６の巻き解き経路として、３の芯棒を利用することもできる。
【００１７】
図２は、本発明装置の実施例２の三面図であって、１の親ロールを支えるフック（ツメ）が跳ね上げ式のホルダーに、子ロールの巻き取り構造を加えた例である。
１は２枚重ねのトイレットロール「親ロール」で、２は分離され巻き取られた「子ロール」である。９は親ロールを支えるフック（ツメ）で、４は分離された１枚を子ロールとして巻き取る芯棒である。１の親ロールと上下に可変する４の芯棒を密着させるため４の芯棒に重量を持たせるか、８のバネなどで圧力を補完する。
先ず、１の親ロールをホルダーの下から入れて、４の芯棒を持ち上げながら９の跳ね上げ式フック（ツメ）に掛ける。２枚重なったトイレットペーパーを分離し６の１枚を４の芯棒に巻き込み子ロールの巻きはじめを準備する。５の１枚は通常通り使えるよう引き出しておく。トイレットロールを使う際に５を引き出す力が１の親ロールと１に密着した４および２の子ロールを回転させ、分離された６の１枚が４を軸にして巻かれながら２の子ロールを形成する。４の芯棒は回転する。
しかして、５は繰り返し個人習慣の長さで引き出され、１のトイレットロールが使い終わると、４の芯棒に巻き取られた２の子ロールが出来上がる。出来上がった２の子ロールは概ね５として使用した分と同じ長さがあり、これを巻き解いて使用するので、５と６を合わせ使用できる長さは約２倍に増える。
【００１８】
図３は、本発明装置の実施例３の三面図であって、１の親ロールを支えるフック（ツメ）が跳ね上げ式のホルダーに、ペーパーを通す経路に応じ子ロールを巻き取る軸構造を加えた例である。
１は２枚重ねのトイレットロール「親ロール」で、２は分離され巻き取られた「子ロール」である。９は親ロールを支えるフック（ツメ）で、４は分離された１枚を子ロールとして巻き取る芯棒である。ペーパーを通す経路を工夫し、ペーパーと密着し回転摩擦を保持し易い位置に４の子ロールの芯棒を加える。ペーパーを通す経路の工夫で、親ロールを巻き解く回転と子ロールを巻き取るが逆になるため、親ロールから離れた位置に４の芯棒を取り付ける。
先ず、１の親ロールをホルダーの下から入れて、９の跳ね上げ式フック（ツメ）に掛ける。２枚重なったトイレットペーパーを分離し６の１枚を４の芯棒に巻き込み子ロールの巻きはじめを準備する。５の１枚は通常通り使えるよう引き出しておく。トイレットロールを使う際の５を引き出す力が４および２の子ロールを回転させ、分離された６の１枚が４を軸にして巻かれながら２の子ロールを形成する。本実施例に加え、４の芯棒に上方向へのバネ構造を付加すれば、より安定した回転摩擦が得られる。
しかして、５は繰り返し個人習慣の長さで引き出され、１のトイレットロールが使い終わると、４の芯棒に巻き取られた２の子ロールが出来上がる。出来上がった２の子ロールは概ね５として使用した分と同じ長さがあり、これを巻き解いて使用するので、５と６を合わせ使用できる長さは約２倍に増える。
【００１９】
図３の実施例３を上下逆さにした構造として、１の親ロールより下の位置に４の子ロール芯棒を取り付けても同様に実施できる。ただし、５の引き出す経路が下方の奥からとなる。４の芯棒にバネ構造を付加する場合は、下方向への張力で、より安定した回転摩擦が得られる。
【００２０】
図４は、本発明装置の実施例４の三面図であって、１の親ロールを支えるフック（ツメ）が跳ね上げ式のホルダーに、フラップ状の枠に子ロールを巻き取る構造を加えた例である。
１は２枚重ねのトイレットロール「親ロール」で、２は分離され巻き取られた「子ロール」である。９は親ロールを支えるフック（ツメ）で、４は分離された１枚を子ロールとして巻き取る芯棒である。上下に動く７のフラップに取り付けられた４の芯棒と１の親ロールを密着させるため、４の芯棒や７のフラップに重量を持たせ圧力で摩擦を補完する。
先ず、１の親ロールをホルダーの下から入れて、４の芯棒と７のフラップを持ち上げながら９の跳ね上げ式フック（ツメ）に掛ける。２枚重なったトイレットペーパーを分離し６の１枚を４の芯棒に巻き込み子ロールの巻きはじめを準備する。５の１枚は通常通り使えるよう引き出しておく。トイレットロールを使う際に５を引き出す力が１の親ロールと１に密着した４および２の子ロールを回転させ、分離された６の１枚が４を軸にして巻かれながら２の子ロールを形成する。４の芯棒は回転する。
しかして、５は繰り返し個人習慣の長さで引き出され、１のトイレットロールが使い終わると、４の芯棒に巻き取られた２の子ロールが出来上がる。出来上がった２の子ロールは概ね５として使用した分と同じ長さがあり、これを巻き解いて使用するので、５と６を合わせ使用できる長さは約２倍に増える。
【００２１】
図５は、本発明装置の実施例４の基本構造に８のバネで圧力を補完した類似例の２つである。７のフラップや４の芯棒の重量が軽くて済むため、ホルダー製品の軽量化や、素材やデザインの自由度が広がる。
基本構造や機能は、実施例４に類似するため、図５で例示した２つの例で平面図と正面図は省略する。
【産業上の利用可能性】
【００２２】
本発明はトイレットロール製造時の省エネルギーと、トイレットペーパーの使い過ぎを防ぐ省資源を両立するグリーン関連の発明である。
ダブル巻きをシングル巻き同様に１枚づつ使用できるため省資源を維持したまま、ダブル巻を使うことができる。製造面では２枚重ねて巻き取ることで、エネルギーの低減と製造時間の短縮が図れる。使用する際のトイレットペーパーを引き出す力で分離する構造であり、分離に電力も不要である。
さらに、この発明でトイレットロール製造面のデメリットが解決できるため、薄くて丈夫なトイレットペーパーを普及し省資源の推進が期待できる。
【符号の説明】
【００２３】
１    ２枚重ねで巻かれた親ロール（トイレットロールの「ダブル」）
２    分離した１枚が巻き取られた子ロール
３    親ロールの芯棒
４    子ロールの芯棒
５    速やかに拭き取りで使われる１枚のトイレットペーパー
６    子ロールに巻き取られる／巻き取られたトイレットペーパー
７    ペーパーカット板、ペーパーカットのフラップ
８    バネ
９    親ロールを掛ける跳ね上げ式フック（ツメ）
【図１】
0006300238.tif 000002
【図２】
0006300238.tif 000003
【図３】
0006300238.tif 000004
【図４】
0006300238.tif 000005
【図５】
0006300238.tif 000006
【図６】
0006300238.tif 000007